(57)【要約】【課題】効率的に所望の動詞の活用表を表示することが可能になる辞書機能を備えた電子機器を提供する。【解決手段】動詞（活用表）番号にそれぞれ対応付けられた動詞活用表データベースと、動詞の語尾の文字数ｎ（＝６〜２）別に当該語尾ｎ文字のスペルに前記動詞（活用表）番号を対応付けた動詞−動詞活用表対応テーブル（語尾６文字動詞テーブル）〜（語尾２文字動詞テーブル）とを備える。辞書検索された説明情報表示画面など、辞書情報が表示された状態で所望の単語を選択すると、この選択された単語が動詞である場合に、当該単語の原形の語尾ｎ文字のスペルと一致するところの動詞−動詞活用表対応テーブルが、文字数ｎの大きいテーブル順に判断され、対応する活用表番号に従い動詞活用表データベースから動詞活用表が読み出されて表示される。【選択図】      図６
2011076456.tif 000002
【特許請求の範囲】
【請求項１】
見出し語と当該見出し語の説明情報とを対応付けて記憶する辞書情報記憶手段と、
この辞書情報記憶手段により記憶された言語の動詞活用表を活用表番号に対応付けて記憶する動詞活用表記憶手段と、
動詞のスペルに前記活用表番号を対応付けたテーブルを記憶する動詞−動詞活用表対応テーブル記憶手段と、
前記辞書情報記憶手段により記憶された文字列を表示する文字列表示手段と、
この文字列表示手段により表示された文字列のうちユーザ操作に応じて任意の単語を指定する単語指定手段と、
この単語指定手段により指定された単語が動詞である場合に、前記動詞−動詞活用表対応テーブル記憶手段により記憶されたテーブルを参照し、前記指定された動詞のスペルに対応付けられた活用表番号を判断する活用表番号判断手段と、
この活用表番号判断手段により判断された活用表番号に対応する動詞活用表を、前記動詞活用表記憶手段により記憶された動詞活用表の中から読み出して表示する活用表表示手段と、
を備えることを特徴とする辞書機能を備えた電子機器。
【請求項２】
前記動詞−動詞活用表対応テーブル記憶手段は、
動詞の語尾の文字数ｎ別に、当該語尾ｎ文字の動詞のスペルに前記活用表番号を対応付けたテーブルを記憶する語尾別動詞テーブル記憶手段と、
動詞のスペルに前記活用表番号を対応付けたテーブルを記憶する例外動詞テーブル記憶手段とを有し、
前記活用表番号判断手段は、
前記単語指定手段により指定された単語が動詞である場合に、前記例外動詞テーブル記憶手段により記憶されたテーブルを参照し、前記指定の動詞と一致するスペルに対応付けられた活用表番号を判断する第１の判断手段と、
この第１の判断手段により前記例外動詞テーブル記憶手段により記憶されたテーブルに前記指定の動詞と一致するスペルがない場合に、当該指定の動詞の語尾ｎ文字と一致するスペルを有している前記語尾別動詞テーブル記憶手段により記憶されたテーブルを、前記文字数ｎが大きい方のテーブルから順番に参照し、同スペルに対応付けられた活用表番号を判断する第２の判断手段とを有し、
前記活用表表示手段は、前記第１の判断手段または前記第２の判断手段により判断された活用表番号に対応する動詞活用表を、前記動詞活用表記憶手段により記憶された動詞活用表の中から読み出して表示する、
ことを特徴とする請求項１に記載の辞書機能を備えた電子機器。
【請求項３】
前記活用表番号判断手段は、
前記単語指定手段により指定された単語が動詞である場合に、当該単語についての参照先の候補として活用表の項目を含む候補を表示する参照先候補表示手段を有し、
この参照先候補表示手段により表示された参照先の候補に含まれる活用表の項目がユーザ操作に応じて選択された場合に、前記テーブルを参照して前記指定された動詞のスペルに対応する活用表番号を判断する、
ことを特徴とする請求項１または請求項２に記載の辞書機能を備えた電子機器。
【請求項４】
コンピュータを、
見出し語と当該見出し語の説明情報とを対応付けてメモリに記憶させる辞書情報記憶手段、
この辞書情報記憶手段により記憶された言語の動詞活用表を活用表番号に対応付けてメモリに記憶させる動詞活用表記憶手段、
動詞のスペルに前記活用表番号を対応付けたテーブルをメモリに記憶させる動詞−動詞活用表対応テーブル記憶手段、
前記辞書情報記憶手段により記憶された文字列を表示部に表示させる文字列表示制御手段、
この文字列表示手段により表示された文字列のうちユーザ操作に応じて任意の単語を指定する単語指定手段、
この単語指定手段により指定された単語が動詞である場合に、前記動詞−動詞活用表対応テーブル記憶手段により記憶されたテーブルを参照し、前記指定された動詞のスペルに対応付けられた活用表番号を判断する活用表番号判断手段、
この活用表番号判断手段により判断された活用表番号に対応する動詞活用表を、前記動詞活用表記憶手段により記憶された動詞活用表の中から読み出して表示部に表示させる活用表表示手段、
として機能させるためのプログラム。
【発明の詳細な説明】
【技術分野】
【０００１】
本発明は、辞書機能を備えた電子機器およびそのプログラムに関する。
【背景技術】
【０００２】
近年、様々な外国語の辞書を搭載した電子辞書が普及してきている。
【０００３】
ところで、語学学習者（特に中級学習者）にとって語学上達のための基本的事項は、文法、語彙力、発音を学習することである。
【０００４】
語彙力を学習する一環として、単語を習得する際には、様々な変化形を併せて覚えなければならないが、フランス語、ドイツ語、イタリア語、スペイン語などでは、動詞の活用形が英語に比べて多彩である。
【０００５】
例えば、フランス語の動詞の場合、人称・数・叙法・時制・態などに応じてスペルが変化する。
【０００６】
このため、特に、動詞の活用形が多彩な言語では、所望の動詞がどのような活用形を有するのかを学ぶことが重要であった。
【０００７】
従来、紙媒体の辞書や一部の電子辞書には、動詞の活用形が表としてまとめられた動詞活用表があり、これを用いて所望の動詞の活用形を参照することは有用な学習手段といえる。
【０００８】
しかしながら、これらの辞書で動詞活用表を参照するには、ユーザが動詞の語形変化を目視で確認して該当する動詞活用表を探し出す必要があり、面倒であった。
【０００９】
そこで、指定した動詞の活用形を一覧表示することが可能な辞書機能を備えた電子装置が、同一出願人によって考えられている（例えば、特許文献１参照。）。
【先行技術文献】
【特許文献】
【００１０】
【特許文献１】特開２００８−０７１０１７号公報
【発明の概要】
【発明が解決しようとする課題】
【００１１】
従来の辞書機能を備えた電子装置は、辞書データベースに集録された動詞の単語ごとに、当該単語の原形と各変化形とを対応付けた変化形データベースを記憶することで、指定した動詞の活用形の一覧表示を可能としている。
【００１２】
このため従来は、変化形データベースを作り上げる開発の負担が大きく、大きなデータ容量も必要であった。また、動詞活用表を表示することはできなかった。
【００１３】
本発明は、このような課題に鑑みなされたもので、効率的に所望の動詞の活用表を表示することが可能になる辞書機能を備えた電子機器およびそのプログラムを提供することを目的とする。
【課題を解決するための手段】
【００１４】
請求項１に記載の辞書機能を備えた電子機器は、見出し語と当該見出し語の説明情報とを対応付けて記憶する辞書情報記憶手段と、この辞書情報記憶手段により記憶された言語の動詞活用表を活用表番号に対応付けて記憶する動詞活用表記憶手段と、動詞のスペルに前記活用表番号を対応付けたテーブルを記憶する動詞−動詞活用表対応テーブル記憶手段と、前記辞書情報記憶手段により記憶された文字列を表示する文字列表示手段と、この文字列表示手段により表示された文字列のうちユーザ操作に応じて任意の単語を指定する単語指定手段と、この単語指定手段により指定された単語が動詞である場合に、前記動詞−動詞活用表対応テーブル記憶手段により記憶されたテーブルを参照し、前記指定された動詞のスペルに対応付けられた活用表番号を判断する活用表番号判断手段と、この活用表番号判断手段により判断された活用表番号に対応する動詞活用表を、前記動詞活用表記憶手段により記憶された動詞活用表の中から読み出して表示する活用表表示手段と、を備えることを特徴としている。
【００１５】
請求項２に記載の辞書機能を備えた電子機器は、前記請求項１に記載の辞書機能を備えた電子機器において、前記動詞−動詞活用表対応テーブル記憶手段は、動詞の語尾の文字数ｎ別に、当該語尾ｎ文字の動詞のスペルに前記活用表番号を対応付けたテーブルを記憶する語尾別動詞テーブル記憶手段と、動詞のスペルに前記活用表番号を対応付けたテーブルを記憶する例外動詞テーブル記憶手段とを有し、前記活用表番号判断手段は、前記単語指定手段により指定された単語が動詞である場合に、前記例外動詞テーブル記憶手段により記憶されたテーブルを参照し、前記指定の動詞と一致するスペルに対応付けられた活用表番号を判断する第１の判断手段と、この第１の判断手段により前記例外動詞テーブル記憶手段により記憶されたテーブルに前記指定の動詞と一致するスペルがない場合に、当該指定の動詞の語尾ｎ文字と一致するスペルを有している前記語尾別動詞テーブル記憶手段により記憶されたテーブルを、前記文字数ｎが大きい方のテーブルから順番に参照し、同スペルに対応付けられた活用表番号を判断する第２の判断手段とを有し、前記活用表表示手段は、前記第１の判断手段または前記第２の判断手段により判断された活用表番号に対応する動詞活用表を、前記動詞活用表記憶手段により記憶された動詞活用表の中から読み出して表示する、ことを特徴としている。
【００１６】
請求項３に記載の辞書機能を備えた電子機器は、前記請求項１または請求項２に記載の辞書機能を備えた電子機器において、前記活用表番号判断手段は、前記単語指定手段により指定された単語が動詞である場合に、当該単語についての参照先の候補として活用表の項目を含む候補を表示する参照先候補表示手段を有し、この参照先候補表示手段により表示された参照先の候補に含まれる活用表の項目がユーザ操作に応じて選択された場合に、前記テーブルを参照して前記指定された動詞のスペルに対応する活用表番号を判断する、ことを特徴としている。
【００１７】
請求項４に記載のプログラムは、コンピュータを、見出し語と当該見出し語の説明情報とを対応付けてメモリに記憶させる辞書情報記憶手段、この辞書情報記憶手段により記憶された言語の動詞活用表を活用表番号に対応付けてメモリに記憶させる動詞活用表記憶手段、動詞のスペルに前記活用表番号を対応付けたテーブルをメモリに記憶させる動詞−動詞活用表対応テーブル記憶手段、前記辞書情報記憶手段により記憶された文字列を表示部に表示させる文字列表示制御手段、この文字列表示手段により表示された文字列のうちユーザ操作に応じて任意の単語を指定する単語指定手段、この単語指定手段により指定された単語が動詞である場合に、前記動詞−動詞活用表対応テーブル記憶手段により記憶されたテーブルを参照し、前記指定された動詞のスペルに対応付けられた活用表番号を判断する活用表番号判断手段、この活用表番号判断手段により判断された活用表番号に対応する動詞活用表を、前記動詞活用表記憶手段により記憶された動詞活用表の中から読み出して表示部に表示させる活用表表示手段、として機能させることを特徴としている。
【発明の効果】
【００１８】
本発明によれば、効率的に所望の動詞の活用表を表示することが可能になる辞書機能を備えた電子機器およびそのプログラムを提供できる。
【図面の簡単な説明】
【００１９】
【図１】本発明の辞書機能を備えた電子機器の実施形態に係る電子辞書装置１０の外観構成を示す正面図。
【図２】前記電子辞書装置１０の電子回路の構成を示すブロック図。
【図３】前記電子辞書装置１０の主記憶装置２２に記憶される仏語用の動詞−動詞活用表対応テーブル２２ｃを示す図。
【図４】前記電子辞書装置１０の主記憶装置２２に記憶される仏語用の動詞活用表データベース２２ｄを示す図。
【図５】前記電子辞書装置１０の辞書検索処理に伴いジャンプ検索モードから動詞活用表表示処理へ移行する処理を示すフローチャート。
【図６】前記電子辞書装置１０のジャンプ検索モードから移行された動詞活用表表示処理を示すフローチャート。
【図７】前記電子辞書装置１０のジャンプ検索モードからの動詞活用表表示処理に伴う表示動作（実施例１）を示す図。
【図８】前記電子辞書装置１０のジャンプ検索モードからの動詞活用表表示処理に伴う表示動作（実施例２）を示す図。
【図９】前記電子辞書装置１０のジャンプ検索モードからの動詞活用表表示処理に伴う表示動作（実施例３）を示す図。
【図１０】前記電子辞書装置１０のジャンプ検索モードからの動詞活用表表示処理に伴う表示動作（実施例４）を示す図。
【発明を実施するための形態】
【００２０】
以下図面により本発明の実施の形態について説明する。
【００２１】
図１は、本発明の辞書機能を備えた電子機器の実施形態に係る電子辞書装置１０の外観構成を示す正面図である。
【００２２】
この辞書機能を備えた電子装置は、以下に説明する電子辞書専用の携帯機器（電子辞書装置１０）として構成されるか、辞書機能を備えたＰＤＡ(personal digital assistants)、ＰＣ(personal computer)、携帯電話、電子ブック、携帯ゲーム機等として構成される。
【００２３】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、カーソルキー１４ｄ、「ジャンプ」キー１４ｅ、スピーカ１５Ｌ，１５Ｒなどを備えたキー入力部（キーボード）１４、および手書き入力部（副画面）１６が備えられる。
【００２４】
この手書き入力部（副画面）１６は、ユーザがペンや指等でタッチした位置を検出するタッチ位置検出装置と表示装置が一体となった構造であり、キー入力部１４の中央手前側において例えば２５６×６４ドットの液晶表示画面１６ｄに透明タッチパネル１６ｔを重ねて構成される。この手書き入力部１６の入力領域は、必要に応じて、手書き文字を入力するための手書き文字（漢字）入力領域や各種機能のボタン入力領域、あるいは各入力領域が混在する領域に切り替えられる。
【００２５】
そして、前記手書き入力部１６が手書き文字入力領域に切り替えられた状態での手書き入力に伴う軌跡はその液晶表示画面にエコーバックして表示される。
【００２６】
また蓋体ケース１２の表面には、そのほぼ全面を対象に例えば４８０×３２０ドットのバックライト付きのタッチパネル式表示部（主画面）１７が設けられる。このタッチパネル式表示部（主画面）１７も、前記手書き入力部（副画面）１６と同様に、ユーザがペンや指等でタッチした位置を検出するタッチ位置検出装置と表示装置が一体となった構造であり、その液晶表示画面１７ｄに透明タッチパネル１７ｔを重ねて構成される。
【００２７】
図２は、前記電子辞書装置１０の電子回路の構成を示すブロック図である。
【００２８】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２９】
ＣＰＵ２１は、主記憶装置（フラッシュＲＯＭ）２２内に予め記憶された装置制御プログラム、あるいはＲＯＭカードなどの外部記憶媒体２３から記憶媒体読み書き部２４を介して前記主記憶装置２２に読み込まれた装置制御プログラム、あるいはインターネットＮ上のＷｅｂサーバ（この場合はプログラムサーバ）から通信制御部２５を介して前記主記憶装置２２に読み込まれた装置制御プログラムに応じて、ＲＡＭ２６を作業用メモリとして回路各部の動作を制御する。
【００３０】
前記主記憶装置２２に記憶された装置制御プログラムは、キー入力部１４、手書き入力部１６、タッチパネル式表示部１７からのユーザ操作に応じた入力信号、あるいは通信制御部２５を介して接続されるインターネットＮ上の各Ｗｅｂサーバとの通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００３１】
前記ＣＰＵ２１には、前記主記憶装置２２、記憶媒体読み書き部２４、通信制御部２５、ＲＡＭ２６、キー入力部１４、手書き入力部１６、タッチパネル式表示部１７などが接続される。
【００３２】
主記憶装置２２に記憶される装置制御プログラムとしては、当該電子辞書装置１０の全体の動作を司るシステムプログラムや、通信制御部２５を介してインターネットＮ上の各Ｗｅｂサーバや図示しないユーザＰＣ(Personal Computer)などとデータ通信するための通信プログラムが記憶される。
【００３３】
また、検索文字列の入力に応じて見出し語を検索する見出し語検索処理、検索された見出し語に対応した訳語・意味内容・例文（用例）・品詞情報などの各種説明情報の読み出し表示処理、表示された辞書情報の中で任意に指定された単語についての説明情報を任意に選択した辞書から検索するジャンプ検索処理、このジャンプ検索処理に伴い任意に指定された動詞の単語についての動詞活用表を読み出して表示する活用表表示処理など、同主記憶装置２２内に記憶された辞書データベース２２ｂ、動詞−動詞活用表対応テーブル２２ｃ、動詞活用表データベース２２ｄに基づく検索処理全般を制御するための各種処理プログラム２２ａが記憶される。
【００３４】
前記辞書データベース２２ｂには、複数種類の辞書コンテンツ２２ｂ１，２２ｂ２，…が、予めあるいはダウンロードされて記憶される。
【００３５】
例えば英語の見出し語に対応付けて日本語の説明情報（英語の例文等も含む）が記述された英和辞書ＤＢ２２ｂ１、仏語の見出し語に対応付けて日本語の説明情報（仏語の例文等も含む）が記述された仏和辞書ＤＢ２２ｂ２などが記憶される。
【００３６】
図３は、前記電子辞書装置１０の主記憶装置２２に記憶される仏語用の動詞−動詞活用表対応テーブル２２ｃを示す図である。
【００３７】
この動詞−動詞活用表対応テーブル２２ｃには、仏語の動詞の語尾の文字数別に当該動詞語尾のスペルに動詞活用表の番号（活用表番号）を対応付けたテーブルデータが記憶される。
【００３８】
具体的には、語尾６文字の各種のスペルに対応する動詞の活用表番号を記述した語尾６文字動詞テーブル２２ｃ２（図３（Ｂ）参照）、語尾５文字の各種のスペルに対応する動詞の活用表番号を記述した語尾５文字動詞テーブル２２ｃ３（図３（Ｃ）参照）、語尾４文字の各種のスペルに対応する動詞の活用表番号を記述した語尾４文字動詞テーブル２２ｃ４（図３（Ｄ）参照）、語尾３文字の各種のスペルに対応する動詞の活用表番号を記述した語尾３文字動詞テーブル２２ｃ５（図３（Ｅ）参照）、語尾２文字の各種のスペルに対応する動詞の活用表番号を記述した語尾２文字動詞テーブル２２ｃ６（図３（Ｆ）参照）が記憶される。
【００３９】
またこれと共に、語尾のスペルで共通化できない例外となる各動詞に対応する活用表番号を記述した例外動詞テーブル２２ｃ１（図３（Ａ）参照）も記憶される。
【００４０】
図４は、前記電子辞書装置１０の主記憶装置２２に記憶される仏語用の動詞活用表データベース２２ｄを示す図である。
【００４１】
この動詞活用表データベース２２ｄには、前記動詞活用表の番号（活用表番号）にそれぞれ対応付けした動詞活用表のデータが記憶される。
【００４２】
具体的には、語尾２文字が「〜er」となる動詞の活用表データが活用表番号「ｅｒ」に対応付けられて記憶され、語尾２文字が「〜ir」となる動詞の活用表データが活用表番号「ｉｒ」に対応付けられて記憶され、語尾２文字が「〜re」となる動詞の活用表データが活用表番号「ｒｅ」に対応付けられて記憶される。
【００４３】
またこれと共に、活用が異なる各種の語尾の動詞に対応する８６種類の活用表データが各活用表番号「１」〜「８６」に対応付けられて記憶される。
【００４４】
例えば、活用表番号「ｅｒ」の活用表データには、語尾２文字が「〜er」「〜ant」「〜e’」となる動詞の各活用形が、[je（１人称単数）-e][tu（２人称単数）-es][il（３人称単数）-e][nous（１人称複数）-ons][vous（２人称複数）-ez][ils（３人称複数）-ent]として記述される。
【００４５】
ＲＡＭ２６には、表示データメモリ２６ａ、検索文字列メモリ２６ｂ、検索見出し語メモリ２６ｃ、カーソル位置メモリ２６ｄ、選択単語メモリ２６ｅの他、前記各種処理プログラム２２ａに従いＣＰＵ２１に入出力される種々のデータが必要に応じて記憶されるワークメモリが備えられる。
【００４６】
表示データメモリ２６ａには、タッチパネル式表示部１７の表示画面に対応した表示データの記憶領域を有し、その表示画面に表示すべきデータがビットマップのパターンデータとして展開されて記憶される。
【００４７】
検索文字列メモリ２６ｂには、辞書指定キー１４ｂにより指定された辞書ＤＢ２２ｂｎの見出し語の検索対象としてキー入力された文字列（検索文字列）が記憶される。
【００４８】
検索見出し語メモリ２６ｃには、前記指定の辞書ＤＢ２２ｂｎから前記検索文字列に基づき検索された見出し語（検索見出し語）が記憶される。
【００４９】
カーソル位置メモリ２６ｄには、タッチパネル式表示部１７に表示される画面内のカーソルＣｕの位置が記憶される。
【００５０】
選択単語メモリ２６ｅには、表示された辞書情報の中でカーソルＣｕにより指定されて選択された単語が記憶される。
【００５１】
次に、前記構成による電子辞書装置１０の動詞活用表表示機能について説明する。
【００５２】
図５は、前記電子辞書装置１０の辞書検索処理に伴いジャンプ検索モードから動詞活用表表示処理へ移行する処理を示すフローチャートである。
【００５３】
図６は、前記電子辞書装置１０のジャンプ検索モードから移行された動詞活用表表示処理を示すフローチャートである。
【００５４】
（実施例１）
図７は、前記電子辞書装置１０のジャンプ検索モードからの動詞活用表表示処理に伴う表示動作（実施例１）を示す図である。
【００５５】
辞書指定キー１４ｂのユーザ操作に応じて、例えば仏和辞書ＤＢ２２ｂ２が指定された検索文字列の入力画面（図示せず）において、所望の検索文字列「mo…」がキー入力されて検索文字列メモリ２６ｂに記憶され、「訳／決定」キー１４ｃが操作されると、前記仏和辞書ＤＢ２２ｂ２から前記検索文字列「mo…」と前方一致する見出し語が検索され検索見出し語メモリ２６ｃに記憶される。そして、検索見出し語の一覧画面（図示せず）がタッチパネル式表示部１７に表示される。
【００５６】
この見出し語一覧画面において、所望の見出し語「moins」が選択されると、選択された見出し語「moins」に対応する説明情報が、前記仏和辞書ＤＢ２２ｂ２から読み出され、図７（ａ）に示すように、説明情報表示画面Ｇとしてタッチパネル式表示部１７に表示される。
【００５７】
なお、この説明情報表示画面Ｇにおいて、現在表示されている説明情報より下または上に画面スクロールして表示可能になる続きの説明情報がある状態では、当該画面Ｇの右上にスクロール可能マークＳ（「↓」または「↑」）が表示される。
【００５８】
こうして、所望の見出し語「moins」の説明情報が表示された説明情報表示画面Ｇの表示状態において、当該説明情報に含まれる任意の単語を対象にジャンプ検索するために、「ジャンプ」キー１４ｅが操作されると、ＣＰＵ２１の動作モードがジャンプ検索モードに設定される（ステップＳ１（Ｙｅｓ））。
【００５９】
ここで、カーソルキー１４ｄの操作により、図７（ａ）に示すようにカーソルＣｕを移動表示させ、所望の単語「espe’rais」が選択されて「訳／決定」キー１４ｃが操作されると（ステップＳ２）、この選択された単語「espe’rais」に対応する辞書ＤＢ２２ｂ２内の原形の見出し語「espe’rer」の説明情報から品詞情報が読み込まれ、前記選択された単語が動詞であるか否か判断される（ステップＳ３）。
【００６０】
選択された単語が動詞でないと判断された場合には（ステップＳ３（Ｎｏ））、当該単語をジャンプ検索するための通常のジャンプ先辞書の候補を一覧にしたジャンプ先辞書一覧ウインドウが表示される（ステップＳ４）。
【００６１】
一方、選択された単語「espe’rais」が動詞であると判断された場合には（ステップＳ３（Ｙｅｓ））、図７（ｂ）に示すように、ジャンプ先辞書の候補として動詞活用表を表示させるための「活用表ナビ」の項目を含むジャンプ先辞書一覧ウインドウＷが表示される（ステップＳ５）。
【００６２】
この「活用表ナビ」の項目を含むジャンプ先辞書一覧ウインドウＷにおいて、カーソルキー１４ｄのユーザ操作に応じたカーソルＣｕの移動表示に伴い、当該「活用表ナビ」の項目が選択されて「訳／決定」キー１４ｃが操作されると（ステップＳ６（Ｙｅｓ））、図６における動詞活用表表示処理へ移行される（ステップＳＡ）。
【００６３】
この動詞活用表表示処理が起動されると、先ず、前記選択された単語「espe’rais」に対応する辞書ＤＢ２２ｂ２内の原形の見出し語「espe’rer」のスペルが抽出され（ステップＡ１）、この選択単語の原形「espe’rer」と一致する動詞が、動詞−動詞活用表対応テーブル２２ｃ内の例外動詞テーブル２２ｃ１（図３（Ａ）参照）に存在するか否か判断される（ステップＡ２）。
【００６４】
ここで、前記選択単語の原形「espe’rer」と一致する動詞が、動詞−動詞活用表対応テーブル２２ｃ内の例外動詞テーブル２２ｃ１に存在しないと判断されると（ステップＡ２（Ｎｏ））、語尾の文字数を指定するためのカウンタｎに初期値“６”がセットされる（ステップＡ３）。
【００６５】
そして、前記カウンタｎ（＝６）で指定される動詞−動詞活用表対応テーブル２２ｃ内の語尾６文字動詞テーブル２２ｃ２（図３（Ｂ）参照）に、前記選択単語の原形「espe’rer」の語尾６文字「〜spe’rer」と一致する語尾の動詞が存在するか否か判断される（ステップＡ４）。
【００６６】
ここで、語尾６文字動詞テーブル２２ｃ２には、前記選択単語の原形「espe’rer」の語尾６文字「〜spe’rer」と一致する語尾の動詞が存在しないと判断されると（ステップＡ４（Ｎｏ））、前記カウンタｎがディクリメント［ｎ＝ｎ−１］され、ｎ＝５にセットされる（ステップＡ５）。
【００６７】
そして、カウンタｎ＝２ではないと判断されると（ステップＡ６（Ｎｏ））、現在のカウンタｎ（＝５）で指定される動詞−動詞活用表対応テーブル２２ｃ内の語尾５文字動詞テーブル２２ｃ３（図３（Ｃ）参照）に、前記選択単語の原形「espe’rer」の語尾５文字「〜pe’rer」と一致する語尾の動詞が存在するか否か判断される（ステップＡ４）。
【００６８】
この場合も、語尾５文字動詞テーブル２２ｃ３には、前記選択単語の原形「espe’rer」の語尾５文字「〜pe’rer」と一致する語尾の動詞が存在しないと判断されるので（ステップＡ４（Ｎｏ））、前記カウンタｎがさらにディクリメント［ｎ＝ｎ−１］され、ｎ＝４にセットされる（ステップＡ５）。
【００６９】
そして、カウンタｎ＝２ではないと判断されると（ステップＡ６（Ｎｏ））、現在のカウンタｎ（＝４）で指定される動詞−動詞活用表対応テーブル２２ｃ内の語尾４文字動詞テーブル２２ｃ４（図３（Ｄ）参照）に、前記選択単語の原形「espe’rer」の語尾４文字「〜e’rer」と一致する語尾の動詞が存在するか否か判断される（ステップＡ４）。
【００７０】
ここで、語尾４文字動詞テーブル２２ｃ４に、前記選択単語の原形「espe’rer」の語尾４文字「〜e’rer」と一致する語尾「〜e’+子音+er」の動詞が存在すると判断されると（ステップＡ４（Ｙｅｓ））、同語尾「〜e’+子音+er」の動詞に対応付けられた活用表番号「１２」が読み出される。
【００７１】
すると、この読み出された活用表番号「１２」に従い、動詞活用表データベース２２ｄ（図４参照）に記憶されている当該活用表番号「１２」に対応付けられた活用表データが読み出され、図７（ｃ）に示すように動詞活用表Ｈ１２として表示される（ステップＡ８）。
【００７２】
これにより、説明情報表示画面Ｇから見付けたユーザ所望の動詞の単語「espe’rais」について、その動詞活用表Ｈ１２を簡単且つ効率的に表示させることができる。
【００７３】
（実施例２）
図８は、前記電子辞書装置１０のジャンプ検索モードからの動詞活用表表示処理に伴う表示動作（実施例２）を示す図である。
【００７４】
図８（ａ）に示すように、仏和辞書ＤＢ２２ｂ２から検索された所望の見出し語「couvrir」に対応する説明情報表示画面Ｇの表示状態において、「ジャンプ」キー１４ｅが操作されると、ＣＰＵ２１の動作モードがジャンプ検索モードに設定される（ステップＳ１（Ｙｅｓ））。
【００７５】
ここで、カーソルＣｕにより所望の単語「couvrent」が選択されて「訳／決定」キー１４ｃが操作されると（ステップＳ２）、この選択された単語「couvrent」に対応する辞書ＤＢ２２ｂ２内の原形の見出し語「couvrir」の説明情報から品詞情報が読み込まれ、当該単語が動詞であると判断される（ステップＳ３（Ｙｅｓ））。
【００７６】
すると、図８（ｂ）に示すように、「活用表ナビ」の項目を含むジャンプ先辞書一覧ウインドウＷが表示される（ステップＳ５）。
【００７７】
このジャンプ先辞書一覧ウインドウＷにおいて、カーソルＣｕにより「活用表ナビ」の項目が選択されて「訳／決定」キー１４ｃが操作されると（ステップＳ６（Ｙｅｓ））、図６における動詞活用表表示処理へ移行される（ステップＳＡ）。
【００７８】
すると先ず、前記選択された単語「couvrent」に対応する辞書ＤＢ２２ｂ２内の原形の見出し語「couvrir」のスペルが抽出され（ステップＡ１）、この選択単語の原形「couvrir」と一致する動詞が、動詞−動詞活用表対応テーブル２２ｃ内の例外動詞テーブル２２ｃ１（図３（Ａ）参照）に存在するか否か判断される（ステップＡ２）。
【００７９】
ここで、前記選択単語の原形「couvrir」と一致する動詞が、動詞−動詞活用表対応テーブル２２ｃ内の例外動詞テーブル２２ｃ１に存在しないと判断されると（ステップＡ２（Ｎｏ））、語尾の文字数を指定するためのカウンタｎに初期値“６”がセットされる（ステップＡ３）。
【００８０】
そして、前記カウンタｎ（＝６）で指定される動詞−動詞活用表対応テーブル２２ｃ内の語尾６文字動詞テーブル２２ｃ２（図３（Ｂ）参照）に、前記選択単語の原形「couvrir」の語尾６文字「〜ouvrir」と一致する語尾の動詞が存在するか否か判断される（ステップＡ４）。
【００８１】
ここで、語尾６文字動詞テーブル２２ｃ２には、前記選択単語の原形「couvrir」の語尾６文字「〜ouvrir」と一致する語尾の動詞が存在しないと判断されると（ステップＡ４（Ｎｏ））、前記カウンタｎがディクリメント［ｎ＝ｎ−１］され、ｎ＝５にセットされる（ステップＡ５）。
【００８２】
そして、カウンタｎ＝２ではないと判断されると（ステップＡ６（Ｎｏ））、現在のカウンタｎ（＝５）で指定される動詞−動詞活用表対応テーブル２２ｃ内の語尾５文字動詞テーブル２２ｃ３（図３（Ｃ）参照）に、前記選択単語の原形「couvrir」の語尾５文字「〜uvrir」と一致する語尾の動詞が存在するか否か判断される（ステップＡ４）。
【００８３】
この場合も、語尾５文字動詞テーブル２２ｃ３には、前記選択単語の原形「couvrir」の語尾５文字「〜uvrir」と一致する語尾の動詞が存在しないと判断されるので（ステップＡ４（Ｎｏ））、前記カウンタｎがさらにディクリメント［ｎ＝ｎ−１］され、ｎ＝４にセットされる（ステップＡ５）。
【００８４】
そして、現在のカウンタｎ（＝４）で指定される動詞−動詞活用表対応テーブル２２ｃ内の語尾４文字動詞テーブル２２ｃ４（図３（Ｄ）参照）に、前記選択単語の原形「couvrir」の語尾４文字「〜vrir」と一致する語尾の動詞が存在すると判断されると（ステップＡ４（Ｙｅｓ））、同語尾「〜vrir」の動詞に対応付けられた活用表番号「１９」が読み出される。
【００８５】
すると、この読み出された活用表番号「１９」に従い、動詞活用表データベース２２ｄ（図４参照）に記憶されている当該活用表番号「１９」に対応付けられた活用表データが読み出され、図８（ｃ）に示すように動詞活用表Ｈ１９として表示される（ステップＡ８）。
【００８６】
これにより、説明情報表示画面Ｇから見付けたユーザ所望の動詞の単語「couvrent」について、その動詞活用表Ｈ１９を簡単且つ効率的に表示させることができる。
【００８７】
（実施例３）
図９は、前記電子辞書装置１０のジャンプ検索モードからの動詞活用表表示処理に伴う表示動作（実施例３）を示す図である。
【００８８】
図９（ａ）に示すように、仏和辞書ＤＢ２２ｂ２から検索された所望の見出し語「souffrir」に対応する説明情報表示画面Ｇの表示状態において、「ジャンプ」キー１４ｅが操作されると、ＣＰＵ２１の動作モードがジャンプ検索モードに設定される（ステップＳ１（Ｙｅｓ））。
【００８９】
ここで、カーソルＣｕにより所望の単語「souffert」が選択されて「訳／決定」キー１４ｃが操作されると（ステップＳ２）、この選択された単語「souffert」に対応する辞書ＤＢ２２ｂ２内の原形の見出し語「souffrir」の説明情報から品詞情報が読み込まれ、当該単語が動詞であると判断される（ステップＳ３（Ｙｅｓ））。
【００９０】
すると、図９（ｂ）に示すように、「活用表ナビ」の項目を含むジャンプ先辞書一覧ウインドウＷが表示される（ステップＳ５）。
【００９１】
このジャンプ先辞書一覧ウインドウＷにおいて、カーソルＣｕにより「活用表ナビ」の項目が選択されて「訳／決定」キー１４ｃが操作されると（ステップＳ６（Ｙｅｓ））、図６における動詞活用表表示処理へ移行される（ステップＳＡ）。
【００９２】
すると先ず、前記選択された単語「souffert」に対応する辞書ＤＢ２２ｂ２内の原形の見出し語「souffrir」のスペルが抽出され（ステップＡ１）、この選択単語の原形「souffrir」と一致する動詞が、動詞−動詞活用表対応テーブル２２ｃ内の例外動詞テーブル２２ｃ１（図３（Ａ）参照）に存在するか否か判断される（ステップＡ２）。
【００９３】
この実施例３では、前記選択単語の原形「souffrir」と一致する動詞が、動詞−動詞活用表対応テーブル２２ｃ内の例外動詞テーブル２２ｃ１に存在すると判断されるので（ステップＡ２（Ｙｅｓ））、この例外動詞「souffrir」に対応付けられた活用表番号「１９」が読み出される。
【００９４】
すると、この読み出された活用表番号「１９」に従い、動詞活用表データベース２２ｄ（図４参照）に記憶されている当該活用表番号「１９」に対応付けられた活用表データが読み出され、図９（ｃ）に示すように動詞活用表Ｈ１９として表示される（ステップＡ８）。
【００９５】
これにより、説明情報表示画面Ｇから見付けたユーザ所望の動詞の単語「souffert」について、その動詞活用表Ｈ１９を簡単且つ効率的に表示させることができる。
【００９６】
（実施例４）
図１０は、前記電子辞書装置１０のジャンプ検索モードからの動詞活用表表示処理に伴う表示動作（実施例４）を示す図である。
【００９７】
図１０（ａ）に示すように、仏和辞書ＤＢ２２ｂ２から検索された所望の見出し語「pneu」に対応する説明情報表示画面Ｇの表示状態において、「ジャンプ」キー１４ｅが操作されると、ＣＰＵ２１の動作モードがジャンプ検索モードに設定される（ステップＳ１（Ｙｅｓ））。
【００９８】
ここで、カーソルＣｕにより所望の単語「de’gonfle’」が選択されて「訳／決定」キー１４ｃが操作されると（ステップＳ２）、この選択された単語「de’gonfle’」に対応する辞書ＤＢ２２ｂ２内の原形の見出し語「de’gonfler」の説明情報から品詞情報が読み込まれ、当該単語が動詞であると判断される（ステップＳ３（Ｙｅｓ））。
【００９９】
すると、図１０（ｂ）に示すように、「活用表ナビ」の項目を含むジャンプ先辞書一覧ウインドウＷが表示される（ステップＳ５）。
【０１００】
このジャンプ先辞書一覧ウインドウＷにおいて、カーソルＣｕにより「活用表ナビ」の項目が選択されて「訳／決定」キー１４ｃが操作されると（ステップＳ６（Ｙｅｓ））、図６における動詞活用表表示処理へ移行される（ステップＳＡ）。
【０１０１】
すると先ず、前記選択された単語「de’gonfle’」に対応する辞書ＤＢ２２ｂ２内の原形の見出し語「de’gonfler」のスペルが抽出され（ステップＡ１）、この選択単語の原形「de’gonfler」と一致する動詞が、動詞−動詞活用表対応テーブル２２ｃ内の例外動詞テーブル２２ｃ１（図３（Ａ）参照）に存在するか否か判断される（ステップＡ２）。
【０１０２】
この実施例４では、前記選択単語の原形「de’gonfler」と一致する動詞が、動詞−動詞活用表対応テーブル２２ｃ内の例外動詞テーブル２２ｃ１に存在しないと判断され（ステップＡ２（Ｎｏ））、語尾の文字数を指定するためのカウンタｎに初期値“６”がセットされる（ステップＡ３）。
【０１０３】
そして、前記カウンタｎ（＝６）で指定される動詞−動詞活用表対応テーブル２２ｃ内の語尾６文字動詞テーブル２２ｃ２（図３（Ｂ）参照）、カウンタｎ（＝５）で指定される語尾５文字動詞テーブル２２ｃ３（図３（Ｃ）参照）、カウンタｎ（＝４）で指定される語尾４文字動詞テーブル２２ｃ４（図３（Ｄ）参照）、カウンタｎ（＝３）で指定される語尾３文字動詞テーブル２２ｃ５（図３（Ｅ）参照）の何れにも、前記選択単語の原形「de’gonfler」の語尾ｎ文字と一致する語尾の動詞が存在しないと判断される（ステップＡ４（Ｎｏ））。
【０１０４】
すると、前記カウンタｎがさらにディクリメント［ｎ＝ｎ−１］されて（ステップＡ５）、カウンタｎ＝２であると判断され（ステップＡ６（Ｙｅｓ））、当該カウンタｎ（＝２）で指定される語尾２文字動詞テーブル２２ｃ６（図３（Ｆ）参照）に、前記選択単語の原形「de’gonfler」の語尾２文字「〜er」と一致する語尾の動詞が存在すると判断される（ステップＡ７）。
【０１０５】
そして、この語尾２文字動詞テーブル２２ｃ６から、前記選択単語の原形「de’gonfler」の語尾２文字「〜er」の動詞に対応付けられた活用表番号「ｅｒ」が読み出される。
【０１０６】
すると、この読み出された活用表番号「ｅｒ」に従い、動詞活用表データベース２２ｄ（図４参照）に記憶されている当該活用表番号「ｅｒ」に対応付けられた活用表データが読み出され、図１０（ｃ）に示すように動詞活用表Ｈｅｒとして表示される（ステップＡ８）。
【０１０７】
これにより、説明情報表示画面Ｇから見付けたユーザ所望の動詞の単語「de’gonfle’」について、その動詞活用表Ｈｅｒを簡単且つ効率的に表示させることができる。
【０１０８】
したがって、前記構成の電子辞書装置１０の動詞活用表表示機能によれば、動詞（活用表）番号にそれぞれ対応付けられた動詞活用表データベース２２ｄと、動詞の語尾の文字数ｎ（＝６〜２）別に当該語尾ｎ文字のスペルに前記動詞（活用表）番号を対応付けた動詞−動詞活用表対応テーブル（語尾６文字）２２ｃ２〜（語尾２文字）２２ｃ６とを備える。辞書検索された説明情報表示画面Ｇなど、辞書情報が表示された状態で、ジャンプ検索モードを設定して所望の単語を選択すると、この選択された単語が動詞である場合に、動詞活用表を表示させるための「活用表ナビ」の項目を含むジャンプ先辞書一覧ウインドウＷが表示される。そしてこの「活用表ナビ」の項目が選択されると、前記選択された単語の原形の語尾ｎ文字のスペルと一致するところの動詞−動詞活用表対応テーブル２２ｃが、文字数ｎの大きいテーブル順に判断され、対応する活用表番号に従い動詞活用表データベース２２ｄから動詞活用表が読み出されて表示される。
【０１０９】
このため、辞書データベースに集録された動詞の単語ごとに、当該単語の原形と各変化形とを対応付けた変化形データベースを記憶する必要はなく、効率的に所望の動詞の活用表を表示することが可能になり、利便性、学習性能の向上が図れる。
【０１１０】
なお、前記実施形態では、仏和辞書ＤＢ２２ｂ２を対象に辞書検索し、仏語の単語について、その動詞活用表を表示させる４つの実施例について説明したが、動詞の活用形が多様に変化するドイツ語、イタリア語、スペイン語など、他のヨーロッパ言語についても、前記実施形態と同様の動詞活用表データベース２２ｄと動詞−動詞活用表対応テーブル２２ｃとを用意することで、効率的に所望の動詞の活用表を表示することが可能になる。
【０１１１】
なお、前記実施形態において記載した電子辞書装置１０による各処理の手法、すなわち、図５のフローチャートに示す辞書検索処理に伴いジャンプ検索モードから動詞活用表表示処理へ移行する処理、図６のフローチャートに示すジャンプ検索モードから移行された動詞活用表表示処理などの各手法、及び辞書データベース２２ｂ、動詞−動詞活用表対応テーブル２２ｃ、動詞活用表データベース２２ｄは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、コンピュータは、この外部記憶媒体２３に記憶されたプログラムを記憶装置（２２）に読み込み、この読み込んだプログラムによって動作が制御されることにより、前記実施形態において説明した動詞活用表表示機能を実現し、前述した手法による同様の処理を実行することができる。
【０１１２】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述した動詞活用表表示機能を実現することもできる。
【０１１３】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１１４】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…カーソルキー
１４ｅ…「ジャンプ」キー
１５Ｌ，１５Ｒ…スピーカ
１６  …手書き入力部
１６ｄ…液晶表示部
１６ｔ…透明タッチパネル
１７  …タッチパネル式表示部
１７ｄ…液晶表示部
１７ｔ…透明タッチパネル
２１  …ＣＰＵ
２２  …主記憶装置
２２ａ…各種処理プログラム
２２ｂ…辞書データベース
２２ｂ１…英和辞書ＤＢ
２２ｂ２…仏和辞書ＤＢ
２２ｃ…動詞−動詞活用表対応テーブル
２２ｃ１…例外動詞テーブル
２２ｃ２…語尾６文字動詞テーブル
２２ｃ３…語尾５文字動詞テーブル
２２ｃ４…語尾４文字動詞テーブル
２２ｃ５…語尾３文字動詞テーブル
２２ｃ６…語尾２文字動詞テーブル
２２ｄ  …動詞活用表データベース
２３  …外部記憶媒体
２４  …記憶媒体読み書き部
２５  …通信制御部
２６  …ＲＡＭ
２６ａ…表示データメモリ
２６ｂ…検索文字列メモリ
２６ｃ…検索見出し語メモリ
２６ｄ…カーソル位置メモリ
２６ｅ…選択単語メモリ
Ｇ    …説明情報表示画面
Ｃｕ  …反転カーソル
Ｗ    …ジャンプ先辞書一覧ウインドウ
Ｈｎ  …動詞活用表
【図１】
2011076456.tif 000003
【図２】
2011076456.tif 000004
【図３】
2011076456.tif 000005
【図４】
2011076456.tif 000006
【図５】
2011076456.tif 000007
【図６】
2011076456.tif 000008
【図７】
2011076456.tif 000009
【図８】
2011076456.tif 000010
【図９】
2011076456.tif 000011
【図１０】
2011076456.tif 000012